(57)【要約】【課題】時刻設定の有無にかかわらず、記録紙の余白へ見易い時刻情報を表示すること。【解決手段】この電子黒板は、読取部２１により読取られた画像データに対して縮小処理部２がカット紙の長手方向のサイズを基準に縮小処理を行り、記憶部４へ格納する。そして、カット紙上部または下部の少なくとも一方にボード面２０の領域外に相当する余白領域を設定し、固定情報と可変情報からなる管理情報を生成する際に、可変情報が未設定の場合には、固定情報のみを前記余白領域へ配置し、ボード面２０の縮小画像との合成出力を行う。合成した画像は記録部２３から印字出力する。【選択図】　　　図３
2004096335.tif 000002
【特許請求の範囲】
【請求項１】
ボード面の画像を読取る読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部または下部の少なくとも一方に前記ボード面の領域外に相当する余白領域を設定する設定手段と、固定情報と可変情報からなる管理情報を生成する管理情報生成手段と、前記可変情報が未設定の場合には、前記固定情報のみを前記余白領域へ配置し、前記ボード面の縮小画像との合成出力を行う制御手段とを具備する電子黒板。
【請求項２】
前記設定手段が、カット紙上部及び下部へ均等に前記ボード面の領域外に相当する余白領域を設定することを特徴とする請求項１記載の電子黒板。
【請求項３】
前記管理情報生成手段による管理情報は、固定情報が年、月、日のデータで構成され、可変情報が実際の年月日に相当する数字データで構成され、可変情報の設定が行われていない場合には、固定情報のみで構成されることを特徴とする請求項１又は請求項２記載の電子黒板。
【請求項４】
前記管理情報に対して印字色の選択設定することを特徴とする特徴とする請求項１から請求項３のいずれかに記載の電子黒板。
【請求項５】
前記管理情報として、前記読取手段から読取った画像データがメモリに保存され、選択設定することを特徴とする特徴とする請求項１から請求項３のいずれかに記載の電子黒板。
【請求項６】
前記ボード面外の読取有効領域に描画された情報を前記読取手段で読み取って設定内容を認識することを特徴とする請求項４又は請求項５記載の電子黒板。
【請求項７】
往復動作によりボード面の画像を順次読取る自走式の読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部または下部の一方に前記ボード面の領域外に相当する余白領域を設定する設定手段と、管理情報を生成する管理情報生成手段と、前記余白領域へ前記ボード面の縮小画像の向きと同じ向きで前記管理情報を配置して合成出力を行う制御手段とを具備する電子黒板。
【請求項８】
前記制御手段は、前記読取手段の往路走査と復路走査とで、前記管理情報の回転処理を行うことを特徴とする請求項７記載の電子黒板。
【請求項９】
前記制御手段は、前記読取手段の往路走査と復路走査とで、前記管理情報の正逆いずれかの印字フォントを選択することを特徴とする請求項７記載の電子黒板。
【請求項１０】
往復動作によりボード面の画像を順次読取る自走式の読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部及び下部へ均等に前記ボード面の領域外に相当する余白領域を設定する設定手段と、管理情報を生成する管理情報生成手段と、前記余白領域へ前記ボード面の縮小画像の向きと同じ向きで前記管理情報を配置して合成出力を行う制御手段とを具備する電子黒板。
【請求項１１】
往復動作によりボード面の画像を順次読取る自走式の読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部及び下部へ均等に前記ボード面の領域外に相当する余白領域を設定する設定手段と、管理情報を生成する管理情報生成手段と、上部または下部のいずれか一方の余白領域を選択すると共に、この選択された余白領域へ前記ボード面の縮小画像の向きと同じ向きで前記管理情報を配置して合成出力を行う制御手段とを具備した電子黒板。
【請求項１２】
前記制御手段は、前記読取手段の往路走査と復路走査とで、前記管理情報の回転処理を行うことを特徴とする請求項１０又は請求項１１記載の電子黒板。
【請求項１３】
前記制御手段は、前記読取手段の往路走査と復路走査とで、前記管理情報の正逆いずれかの印字フォントを選択することを特徴とする請求項１０又は請求項１１記載の電子黒板。
【発明の詳細な説明】
【０００１】
【発明の属する技術分野】
本発明は、ホワイトボード等のボード上に記載された筆記画像を読取って、その縮小画像データを本体に付設されたプリンタで記録出力を行う電子黒板に関するものである。
【０００２】
【従来の技術】
従来から、ボード面に手書きで描かれた筆記画像を読取ユニットで画像データとして取り込み、その画像データを電気的な縮小処理を行って、電子黒板本体に設置されたプリンタにより、Ａ４サイズ等のカット紙へ記録出力する装置が知られている。そして、最近では、電子黒板で記録された用紙が、いつどのようなときに印刷されたものかを確認できるように、用紙の余白へ日付や場所を表示するものがある（特開平１１−７８３６８号公報）。
【０００３】
【発明が解決しようとする課題】
しかし、上述の従来技術の構成では、装置本体に予め設定されたプログラムに従って処理されるデータ（時刻）を記録紙の余白に記録するものであるため、例えば、時刻設定がされていないにもかかわらず、デフォルトの何らかの表示がされてしまい見づらいという問題がある。
【０００４】
また、ボード面上の筆記画像を自走しながら読取る読取ユニットを備えた電子黒板においては、読取動作の往路と復路で画像の出力方向が反転するため、時刻情報が反転して見づらくなることがある。
【０００５】
また、電子黒板の操作パネルには、操作性の向上のため、必要最低限のボタンやＬＣＤしか用意されておらず、機能の拡張が困難という問題がある。
【０００６】
本発明は、上述の課題に鑑みて為されたもので、時刻設定の有無にかかわらず、記録紙の余白へ見易い時刻情報を表示することのできる電子黒板を提供することを目的とする。
【０００７】
また、本発明は、自走式の読取ユニットを備えた電子黒板においても、記録紙の余白へ見易い管理情報を表示することのできる電子黒板を提供することを目的とする。
【０００８】
さらに、本発明は、簡易な操作パネルで各種機能設定を可能とした電子黒板を提供することを目的とする。
【０００９】
【課題を解決するための手段】
本発明は、余白部に合成する管理情報を固定情報と可変情報から構成し、可変情報の登録が行われていない場合は固定情報だけを合成するようにしたものである。
【００１０】
また本発明は、往復動作によりボード面上の画像を順次読取る場合に、縮小画像と余白部に合成する管理情報との向きが一致するように、管理情報を必要に応じて回転制御し又は逆フォントを使用するようにしたものである。
【００１１】
【発明の実施の形態】
本発明の第１の態様は、ボード面の画像を読取る読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部または下部の少なくとも一方に前記ボード面の領域外に相当する余白領域を設定する設定手段と、固定情報と可変情報からなる管理情報を生成する管理情報生成手段と、前記可変情報が未設定の場合には、前記固定情報のみを前記余白領域へ配置し、前記ボード面の縮小画像との合成出力を行う制御手段とを有することを特徴とする電子黒板である。
【００１２】
以上のように構成された電子黒板によれば、カット紙上にボード面の領域外に相当する余白に常に固定の管理情報が設定されるので、カット紙面を有効に活用しつつ、固定の管理情報に従って、後で手書き入力等を行うことができ、内容の確認がしやすい画面プリントが得られる。
【００１３】
本発明の第２の態様は、第１の態様の電子黒板において、前記設定手段が、カット紙上部及び下部へ均等に前記ボード面の領域外に相当する余白領域を設定するものとした。
【００１４】
これにより、ボード面の縮小画像がカット紙の中央に配置され、見易い画面プリントが得られる。
【００１５】
本発明の第３の態様は、第１又は第２の態様の電子黒板において、前記管理情報生成手段による管理情報は、固定情報が年、月、日のデータで構成され、可変情報が実際の年月日に相当する数字データで構成され、可変情報の設定が行われていない場合には、固定情報のみで構成されることを特徴とするものとした。
【００１６】
これにより、実際の年月日の数字データが設定されていない場合でも、００等のデフォルトデータが配置されることなく、カット紙上にボード面の領域外に相当する余白には年、月、日の管理情報のみが配置され、カット紙面を有効に活用しつつ、固定の管理情報に従って、後で手書き入力等を行うなどの利用が可能となる。
【００１７】
本発明の第４の態様は、第１から第３のいずれかの態様の電子黒板において、前記管理情報に対して印字色の選択設定するものとした。
【００１８】
これにより、カット紙上にボード面の領域外に相当する余白に設定される管理情報がカラー化されることで、画面プリントの内容の識別性が向上する。
【００１９】
本発明の第５の態様は、第１から第３のいずれかの態様の電子黒板において、前記管理情報として、前記読取手段から読取った情報がメモリに保存され、選択設定するものとした。
【００２０】
これにより、カット紙上にボード面の領域外に相当する余白に設定される管理情報の追加変更が可能となり、画面プリントの管理の利便性が向上する。
【００２１】
本発明の第６の態様は、第４、第５のいずれかの態様の電子黒板において、前記ボード面外の読取有効領域に描画された情報を前記読取手段で読み取って設定内容を認識するものである。
【００２２】
これにより、ボードのフレームなどを読取ることで、容易に機能拡張が変更が可能となる。
【００２３】
本発明の第７の態様は、往復動作によりボード面の画像を順次読取る自走式の読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部または下部の一方に前記ボード面の領域外に相当する余白領域を設定する設定手段と、管理情報を生成する管理情報生成手段と、前記余白領域へ前記ボード面の縮小画像の向きと同じ向きで前記管理情報を配置して合成出力を行う制御手段とを具備する電子黒板である。
【００２４】
以上のように構成された本発明によれば、往路、復路の両方向から読取り可能な自走式のため、読取方向が反転する場合であっても、高速性を損なうことなく、カット紙上にボード面の画像と同じ向きにて余白へ管理情報を出力することができる。
【００２５】
本発明の第８の態様は、第７の態様の電子黒板において、前記制御手段は、前記読取手段の往路走査と復路走査とで、前記管理情報の回転処理を行うものとした。
【００２６】
これにより、往路、復路で読取方向が反転することに合わせて、余白が設定され、管理情報が回転するので、管理情報と共に見易いに画面プリントを得ることができる。
【００２７】
本発明の第９の態様は、第７の態様の電子黒板において、前記制御手段は、前記読取手段の往路走査と復路走査とで、前記管理情報の正逆いずれかの印字フォントを選択するものとした。
【００２８】
これにより、往路、復路で読取方向が反転することに合わせて、余白が設定され、正逆いずれかの管理情報が選択されるので、管理情報と共に見易いに画面プリントを得ることができる。
【００２９】
本発明の第１０の態様は、往復動作によりボード面の画像を順次読取る自走式の読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部及び下部へ均等に前記ボード面の領域外に相当する余白領域を設定する設定手段と、管理情報を生成する管理情報生成手段と、前記余白領域へ前記ボード面の縮小画像の向きと同じ向きで前記管理情報を配置して合成出力を行う制御手段とを具備する電子黒板である。
【００３０】
このように構成された電子黒板によれば、往路、復路の両方向から読取り可能な自走式のため、読取方向が反転する場合であっても、高速性を損なうことなく、ボード面の画像と同じ向きにて均等に設定された余白領域へ管理情報を出力することができる。
【００３１】
本発明の第１１の態様は、往復動作によりボード面の画像を順次読取る自走式の読取手段と、この読取手段により読取られた画像をカット紙へ記録する記録手段と、前記読取手段からの画像データに対して前記カット紙の長手方向のサイズを基準に縮小処理を行う画像縮小手段と、前記カット紙上部及び下部へ均等に前記ボード面の領域外に相当する余白領域を設定する設定手段と、管理情報を生成する管理情報生成手段と、上部または下部のいずれか一方の余白領域を選択すると共に、この選択された余白領域へ前記ボード面の縮小画像の向きと同じ向きで前記管理情報を配置して合成出力を行う制御手段とを具備する電子黒板である。
【００３２】
以上のように構成された電子黒板によれば、往路、復路の両方向から読取り可能な自走式のため、読取方向が反転する場合であっても、高速性を損なうことなく、ボード面の画像と同じ向きで、かつ、同じ位置の余白領域へ管理情報を出力することができる。
【００３３】
本発明の第１２の態様は、第１０又は第１１の態様の電子黒板において、前記制御手段は、前記読取手段の往路走査と復路走査とで、前記管理情報の回転処理を行うものである。
【００３４】
これにより、往路、復路で読取方向が反転することに合わせて、管理情報が回転するので、管理情報と共に見易いに画面プリントを得ることができる。
【００３５】
本発明の第１３の態様は、第１０又は第１１の態様の電子黒板において、前記制御手段は、前記読取手段の往路走査と復路走査とで、前記管理情報の正逆いずれかの印字フォントを選択するものである。
【００３６】
これにより、往路、復路で読取方向が反転することに合わせて、正逆いずれかの管理情報が選択されるので、管理情報と共に見易いに画面プリントを得ることができる。
【００３７】
以下、本発明の電子黒板に係る実施の形態について図面を参照して具体的に説明する。
【００３８】
（実施の形態１）
図１は本実施の形態１に係る電子黒板の機能ブロック図である。同図に示すように、この電子黒板は、読取制御部１がボード面に書かれた画像を読み取り、縮小処理部２が読取り画像をカット紙の長手方向のサイズを基準に縮小処理し、装置制御部３が縮小画像を記憶部４に蓄積する。画像処理部５は記憶部４から読み出した縮小画像の上部及び又は下部に余白部を付加し、余白部に管理情報を上書きする画像合成を行う。そして、画像合成された画情報は装置制御部３の制御下で記録制御部７へ転送して記録出力する。ＲＯＭ６には、装置制御部３が読み込んで実行するプログラムやフォントデータ等の情報が記憶されている。また、パネル制御部８は、後述するパネル部からユーザが入力したデータを認識して装置制御部３へ渡す処理を実行する。
【００３９】
図２に電子黒板の概観図を示す。横方向に長尺な長方形のボード面２０に対して自走式の読取部２１が設けられている。読取部２１は、読取制御部１及び縮小処理部２を内蔵しており、ボード面２０を水平方向に往復移動可能に構成されている。パネル部２２は、ボード面２０の下端部でユーザが操作可能な位置に設けられている。パネル部２２は、ユーザインターフェースとしてボタン等を有しており、また装置制御部３、記憶部４、画像処理部５、ＲＯＭ６、パネル制御部８を内蔵している。記録部２３は、ボード面２０の下方部に設置されており、記録制御部７による制御下で記録紙となるカット紙に画像を記録する。
【００４０】
次に以上のように構成された本実施の形態の動作について具体的に説明する。図３は、カット紙の上下に相当する領域に余白領域を確保し、その余白領域に管理情報を合成する画像合成処理の概念図である。「ＡＢＣ」の文字が手書きされたボード面２０から読取部２１が読み取った読取画像３１を、縮小処理部２が読取部２１の主走査方向にカット紙の長手方向のサイズに基づいた縮尺率で縮小処理する。この結果、縮小画像ＩＭは読取画像３１よりも縦方向に圧縮されることから、カット紙（例えばＡ４サイズ）の縦横に比べて縦方向が短くなり縮小画像ＩＭの上下に図示するような余白部３２、３３が形成される。なお、縮小画像ＩＭをカット紙の下端に揃えれば上部余白のみが形成され、逆にカット紙の上端に揃えれば下部余白のみが形成される。
【００４１】
画像処理部５は、上余白部３２に管理情報を画像合成する処理を実施する。管理情報は、固定情報３４と可変情報３５とから構成される。本実施の形態では、固定情報３４は日付情報であれば「年」「月」「日」などのように日にちが変わっても変化しない情報である。また、可変情報３５は日付情報であれば現実の日付に応じて変化する２００２年の「２００２」や１０月の「１０」等の情報である。図３に示す例では、縮小画像ＩＭの上部に形成された上余白部３２に日付情報からなる管理情報を合成する。管理情報のうち可変情報３５の取捨選択については後述する。
【００４２】
記録部２３は、上余白部３２に日付情報からなる管理情報が合成された縮小画像ＩＭをカット紙に記録することになる。
【００４３】
ここで、図４を参照して管理情報の印字例について詳しく説明する。管理情報として正しい日付情報を縮小画像と共に記録出力するためには、ユーザは本電子黒板に電源をＯＮした状態で正しい日付情報（可変情報）を装置設定情報の一つとして登録する必要がある。
【００４４】
パネル制御部８は、ユーザがパネル部２２から入力した日付情報を、装置制御部３からの指示に基づいて記憶部４の所定アドレスに記憶する。装置制御部３は、パネル制御部８から日付情報を含む装置設定に関する情報の入力要求を受けると、パネル制御部８に対して装置設定に関する情報の格納アドレスを指定する。図４に示す例では、日付情報と印字色とがユーザから指定される。日付情報は「年」「月」「日」「時」「分」の各項目に分けて格納し、全てのデータが格納されたら登録済みフラグを立てる。本例では、「年」「月」「日」「時」「分」の各項目が固定情報であり、オペレータから入力された実際の日時が可変情報である。
【００４５】
画像処理部５は、記憶部４の装置設定に関する情報について、登録済みフラグの状況を見ながら合成すべき管理情報の内容を制御する。具体的には、登録済みフラグが立てられていれば、「年」「月」「日」「時」「分」の各項目に実際の日時を入力した日付情報を管理情報として余白部分に合成する。同図に示す例では、「２００２年５月１５日」という管理情報が合成される。また、登録済みフラグが立てられていなければ、「年」「月」「日」「時」「分」の各項目だけからなる日付情報を管理情報として余白部分に合成する。「年」「月」「日」「時」「分」の各項目は、後から手書きで日時を記述できるだけの間隔を空けている。
【００４６】
図５は日時情報の登録から画像印字までの処理の流れを示すフロー図である。同図に示すように、オペレータがパネル部２２を操作して日時情報の登録を要求してきたら（ステップＳ１００）、パネル部２２に「年」「月」「日」「時」「分」の入力画面を表示し、日時情報の入力を受け付ける。「年」「月」「日」「時」「分」の全ての項目についてデータ入力が完了すると、当該入力データを日時情報として登録する（ステップＳ１０１）。ステップＳ１０１において日時情報が登録されると、それ以降は電源がＯＦＦされるまで内蔵する時計機能で計時が行われて日付情報が更新されていく。
【００４７】
さらに、オペレータがパネル部２２を操作して管理情報に対する印字色を入力したら、入力印字色を登録し（ステップＳ１０２）、日時情報及び印字色の登録が完了したことを確認して、登録済みフラグを立てる（ステップＳ１０３）。
【００４８】
オペレータがパネル部２２を介してボード面２０に書かれた画像をコピーする指示を入力すると、読取部２１がボード面２０上を移動しながら画像を読み取るように制御する（ステップＳ１０４）。読み取られた画像データは、縮小処理部２で縮小された後に記憶部４に格納される（ステップＳ１０５）。
【００４９】
装置制御部３は、日時情報について登録済みフラグが立てられているか否か判断する（ステップＳ１０６）。日時情報について登録済みフラグが立っていれば、ステップＳ１０７に分岐して「年」「月」「日」「時」「分」の固定情報及び現在の日時情報である可変情報を、読取画像に合成するように画像処理部５を制御する。
【００５０】
具体的には、画像処理部５は装置制御部３からの指令を受けて記憶部４に記憶されている縮小画像を読み出し、カット紙のサイズに合わせたメモリ空間に、上余白部３２及び下余白部３３が形成されるように縮小画像を配置する。一方、図４に示すように「年」「月」「日」「時」「分」の固定情報に、現在の日時情報である可変情報が挿入されている管理情報（２００２年５月１５日）を作成し、この管理情報を上余白部３２に合成する。一方、ステップＳ１０６の判断で日時情報について登録済みフラグが立っていなければ、ステップＳ１０８へ分岐して、「年」「月」「日」「時」「分」の固定情報だけの管理情報を上余白部３２に合成する。
【００５１】
最後に、管理情報が合成された合成画像を記録制御部７へ転送して記録部２３よりカット紙に印字して処理を終了する（ステップＳ１０９）。管理情報は指定されている印字色にて印字される。
【００５２】
このように本実施の形態によれば、カット紙の上部又は下部に相当する位置に確保した上余白部又は下余白部に合成する管理情報を、変化のない固定情報と変化する可変情報とに分けて登録可能とし、可変情報が登録されているときには可変情報と固定情報とを組合せた管理情報を記録するが、可変情報が登録されていないときには可変情報を含まない管理情報を記録するようにしたので、誤った可変情報を含んだ管理情報が記録される不具合を解消することができる。電子黒板のように使用しないときには電源がＯＦＦされる機器は、使用時に電源をＯＮしたときにデフォルトの日時情報を使用する構成になっている場合があり、誤った日時情報を含んだ管理情報が記録される不具合がある。しかし、本実施の形態のように、電源ＯＮ時にステップＳ１０３で登録済みフラグがセットされない限り、日時情報は記録されないので、誤った管理情報が機械的に記録される問題がなくなる。
【００５３】
（実施の形態２）
次に本発明に係る電子黒板に関する実施の形態２を説明する。
【００５４】
本実施の形態の電子黒板は、前述した実施の形態１に係る電子黒板とハードウエア構成は同じであるので、本実施の形態においても図１及び図２を参照して説明する。
【００５５】
本実施の形態は、オペレータがボード面２０に書いた管理情報を読取部２１で読み込んで、当該画像情報を管理情報として蓄積しておき、本来の読取画像の印字時に蓄積していた管理情報を合成して同時に印字するものである。
【００５６】
図６は管理情報を読み込んで記録するまでの概念図である。同図に示すように、オペレータが電子黒板のボード面２０に管理情報（「会議室１」）を書き込み、この管理情報を読取部２１でスキャンして読取制御部１から記憶部４にファイルＮｏを定めて格納する。管理情報は複数であってもよい。そして、ボード面２０に書いた管理情報をオペレータが消した後、ボード面に本来の情報をオペレータが書き込む。同図に示す例では「ＡＢＣ」と書き込まれている。ボード面２０に手書き筆記された「ＡＢＣ」をコピーする場合、読取部２１でスキャンして読取り、当該読取画像に対して先に蓄積した管理情報を合成して記録部２３から印字出力する。
【００５７】
図７は管理情報の登録から読取画像を印字するまでのフロー図である。オペレータが管理情報を登録する場合、ボード面２０に任意の管理情報を筆記し、パネル部２２を操作して管理情報の登録要求を行う。
【００５８】
装置制御部３は、管理情報の登録を行うかどうかの判断を行う（ステップＳ２００）。例えば、パネル制御部８からの信号で管理情報の登録要求を検知したときに管理情報の登録を行うと判断する。管理情報の登録を行うと判断した場合は、ファイルＮｏを指定して合成用のデータの読取りを行う（ステップＳ２０１）。読取部２１を動作させてボード面２０に筆記された管理情報の読み取りを行う（ステップＳ２０２）。読取り終了にて指定したファイルＮｏに読取った登録データを登録する（ステップＳ２０３）。別の管理情報を蓄積する場合は、ファイルＮｏを変えて上記同様に読取部２１を動作させて画像データの形式で読み込む。
【００５９】
次に、オペレータがボード面２０から手書きの管理情報を消し、新たにボード面２０に書き込んだ本来の情報をコピーする場合は、管理情報として使用する登録データのファイルＮｏをパネル部２２から指定する。装置制御部３は、記憶部４に格納されている管理情報の中から指定されたファイルＮｏの管理情報を選択して取り出す（ステップＳ２０４）。
【００６０】
オペレータがパネル部２２を操作してコピー要求を入力すると、装置制御部３は、パネル制御部８からのコピー要求を検知し、読取部２１を動作させてボード面２０に書き込まれている情報を読み取る（ステップＳ２０５）。この読取画像は縮小処理されてから記憶部４に蓄積される。
【００６１】
次に、画像処理部５が装置制御部３の制御下で指定ファイルと読取り画像の合成を行う（ステップＳ２０６）。すなわち、ステップＳ２０５で読み込んだ縮小画像を記憶部４から読み出し、メモリ空間上に上余白部及び下余白部が形成されるようにアドレス制御して配置し、さらに上余白部に選択した管理情報を配置する。
【００６２】
以上のようにして余白部に管理情報が合成された画像データを記録制御部７へ転送して記録部２３より印字出力する（ステップＳ２０７）。
【００６３】
このような本実施の形態によれば、管理情報をオペレータがパネル部２２から入力するのではなく、ボード面２０に手書き筆記してそれを読み込んで登録し、コピー操作にファイルＮｏを指定して使用可能にしたので、管理情報の入力が簡素化され操作性の改善を図ることができる。
【００６４】
なお、上記説明では登録すべき管理情報をボード面２０の全体に筆記しているが、ボード面２０を複数の領域に分割してその分割領域内に管理情報を筆記し、筆記された分割領域の画像データだけを読み込んで登録するようにしてもよい。
【００６５】
（実施の形態３）
次に本発明の実施の形態３について説明する。
【００６６】
本実施の形態の電子黒板は、前述した実施の形態１に係る電子黒板とハードウエア構成は同じであるので、本実施の形態においても図１及び図２を参照して説明する。
【００６７】
本実施の形態は、日時情報（固定情報及び可変情報）を管理情報として印字するか否かをパネル部２２からオペレータ操作で指示するのではなく、ボード面２０の外側周辺に形成されるフレームを利用して指示入力するように構成した例である。その他の構成は実施の形態１、２と同様である。
【００６８】
図８はボード面とフレームとの配置関係を示す図であり、図９は図８に示すＡ部分の拡大図である。本電子黒板は、ボード面２０の外側周辺にフレーム２４が形成されている。読取部２１の読取り有効領域はフレーム２４まで含むように設定している。図９に示すように、フレーム２４の一部には、印刷部数を指示するための四角印２５と、日時情報を管理情報として印字するか否かを指示するための四角印２６とが描画されている。四角印２５については、四角印２５ａのように黒く塗りつぶした数だけ複製印字し、四角印２６については黒く塗りつぶした場合に時刻印字するものとして設定している。四角印２５、２６の塗りつぶしはオペレータが行う。
【００６９】
具体的には、複数の四角印２５から印刷部数に対応した数の四角印２５ａを黒く塗りつぶし、日時情報を管理情報として印字する場合には四角印２６を黒く塗りつぶす。
【００７０】
以上のような作業の後、オペレータはボード面２０に書いた筆記画像をコピーする必要が生じると、パネル部２２を操作してコピー要求を入力することになる。
【００７１】
装置制御部３は、パネル制御部８からの信号からコピー要求を検知すると、読取部２０を動作させてボード面２０及びフレーム２４の画像を読取る。この読取画像にはボード面２０の情報に加えてフレーム２４の指示内容まで含まれる。かかる読取画像は一旦記憶部４に格納されるが、装置制御部３により読み出されてフレーム２４の指示内容の分析が実行される。読取画像の中から四角印２５、２６が形成されている領域のデータを分析して、黒く塗りつぶされた四角印２５ａの数を認識すると共に、四角印２６が黒く塗りつぶされているか否か認識する。
【００７２】
装置制御部３は、四角印２５、２６に関する認識結果は、印刷部数及び日時情報の記録の有無を示す情報として記憶部４の装置設定に登録する。
【００７３】
次に、画像処理部５が読取画像からフレーム２４に相当する画像データを切り落とす処理を実行して、ボード面２０に記述された画像データだけを取り出す。そして、日時情報の記録の有無に関する装置設定情報を参照して余白部に日時情報の管理情報を合成するか否か判断する。例えば、四角印２６が黒く塗りつぶされていた場合は日時情報の管理情報を合成する。但し、実施の形態１で説明したように、管理情報に関して登録済みフラグが立っていないときは固定情報のみを合成することになる。
【００７４】
装置制御部３は、以上のようにして画像処理部５が合成した画像データを記録制御部７へ与えると共に、装置設定情報を参照して印刷部数を指示する。例えば、黒く塗りつぶされた四角印２５ａが２つであった場合は、２部印刷するように指示する。記録部２３は、記録制御部７の制御下で指示された部数だけ画像データを印字出力する。
【００７５】
このように本実施の形態によれば、ボード面２０の外側周辺のフレーム２４を利用して四角印２５、２６を塗りつぶすことで印刷部数の指示や日時情報の印字有無の指示を行うことが出きるようにしたので、四角印２５、２６を塗りつぶすといった簡単な作業で印刷部数、日時情報の印字有無を指示することが可能となり、操作性を向上させることができる。
【００７６】
なお、フレーム２４を利用して入力する指示内容は上記内容に限定されるものではなく、印字色など任意の指示内容を入力可能である。また、四角印２５、２６を塗りつぶすことで指示を行うようにしているが、画像認識可能なものであれば他の手法を使うこともできる。
【００７７】
（実施の形態４）
次に本発明の実施の形態４について説明する。
【００７８】
本実施の形態の電子黒板は、前述した実施の形態１に係る電子黒板とハードウエア構成は同じであるので、本実施の形態においても図１及び図２を参照して説明する。
【００７９】
本実施の形態は、読取部２１によるボード面２０の読取方向（移動方向）に応じて管理情報を回転処理して縮小画像の向きと管理情報の向きとが常に一致するようにした例である。その他の構成は実施の形態１、２、３と同様である。
【００８０】
図１０（ａ）（ｂ）はボード面２０の読取方向と読取画像の向きとの関係、並びに合成画像の印字方向を示す概念図である。図１０（ａ）に示すように、読取部２１がボード面２０を左から右へ移動して画像の読取りを行った場合、ボード面２０のイ点のラインから読取りが開始され、イ点のラインについて主走査方向の読取りが終了すると、読取りラインを１ライン右側へ移動させる。読取部２１を右方向へ１ライン読み終える毎に移動させることで順次読取りラインを右側へ移動していくことになる。また、図１０（ｂ）に示すように、読取部２１がボード面２０を右から左へ移動して画像の読取りを行った場合、ボード面２０のロ点のラインから読取りが開始され、ロ点のラインについて主走査方向の読取りが終了すると、読取りラインを１ライン左側へ移動させる。読取部２１を左方向へ１ライン読み終える毎に移動させることで順次読取りラインを左側へ移動していくことになる。
【００８１】
また、読取画像は縮小処理部２により主走査方向に圧縮されるので、縮小画像を上下どちらか一方に寄せることでカット紙に対して上部又は下部に余白ができる状態となる。この余白部に管理情報を合成する。このような余白部の設定は画像処理部５が縮小画像を記憶部４から読み出してメモリ空間に配置する際に行われる。
【００８２】
ここで、電子黒板では、以上のような読取り順で取得される画像データを、その読取り順のまま印字出力するように制御することで、記憶容量及び画像処理の負担を軽減している。そのため、記憶部４に記憶する読取りラインデータは印字方向に合わせて読取り順に格納されていく。この結果、図１０（ａ）（ｂ）に示すように、記憶部４に記憶される縮小画像は、左から右へ読取りを行った場合と右から左に読取りを行った場合とで、互いに１８０度回転した関係になる。
【００８３】
上記余白部に管理情報を合成する場合を考える。図１０（ａ）に示す左から右への読取りの場合、管理情報の画像データを印字方向に合わせて余白部に書き込むと、図１０（ａ）に示すように管理情報の文字、数字の向きと縮小画像の向きとが一致する。
【００８４】
ところが、図１０（ｂ）に示す右から左への読取りの場合、管理情報の画像データを印字方向に合わせて余白部に書き込むと、縮小画像に対して管理情報の文字、数字の向きが１８０度回転した状態となる。そのために、管理情報の文字、数字の向きと縮小画像の向きとを一致させるために、管理情報を余白部に合成する際に管理情報を１８０度回転させるものとした。
【００８５】
具体的には、画像処理部５は、縮小画像の上部又は下部の余白部に管理情報を合成する場合、読取り方向に応じて左から右への読取りを行った場合は管理情報を回転させることなく合成し、逆に右から左への読取りを行った場合は管理情報を１８０度回転させてから合成する。
【００８６】
これにより、記憶部４に格納される縮小画像がボード面２０の画像（ＡＢＣ）を後方から読取る場合であっても縮小画像と管理情報の文字の向きとが一致した画像を印字出力することができる。
【００８７】
このように本実施の形態によれば、縮小画像の上部又は下部の余白部に管理情報を合成する場合、管理情報と縮小画像との向きが一致しない場合は管理情報を回転させて両者の向きを一致させるようにしたので、縮小画像と管理情報との向きを一致させて印字出力することができる。
【００８８】
（実施の形態５）
次に本発明の実施の形態５について説明する。
【００８９】
本実施の形態の電子黒板は、前述した実施の形態１に係る電子黒板とハードウエア構成は同じであるので、本実施の形態においても図１及び図２を参照して説明する。
【００９０】
本実施の形態は、読取部２１によるボード面２０の読取方向（移動方向）に応じて、管理情報に使用する正逆フォントを選択して回転処理することなく縮小画像と管理情報の向きとを常に一致させるように制御する例である。その他の構成は実施の形態１、２、３と同様である。
【００９１】
ＲＯＭ６に、管理情報に使用する文字、数字について正フォント及び逆フォントの双方のデータを格納しておく。画像処理部５は、記憶部４から読み出した縮小画像の上部又は下部の余白部に管理情報を合成する場合、縮小画像の読取方向を判断して正フォント又は逆フォントのいずれかをＲＯＭ６から読み出して管理情報を生成する。
【００９２】
具体的には、図１１（ａ）に示すように縮小画像が左から右方向への読取り画像であれば、正フォントにて管理情報を生成して余白部に合成する。一方、図１１（ｃ）に示すように縮小画像が右から左方向への読取り画像であれば、逆フォントにて管理情報を生成して余白部に合成する。逆フォントは正フォントに対して１８０度回転した状態であるので、画像処理部５にて管理情報逆フォントを回転処理せずに合成しても、縮小画像と管理情報との向きが一致したものとなる。なお、図１１（ｂ）は縮小画像が右から左方向への読取り画像であるにもかかわらず、正フォントをそのまま合成した場合を示している。
【００９３】
このように本実施の形態によれば、正フォント及び逆フォントの双方のデータをＲＯＭ６に格納しておき、縮小画像の読取方向を判断して正フォント又は逆フォントのいずれかをＲＯＭ６から読み出して管理情報を生成するので、読取方向が異なる縮小画像に対して管理情報を回転する処理を加えることなく合成することができ、処理の簡素化を図ることができる。
【００９４】
（実施の形態６）
次に本発明の実施の形態６について説明する。
【００９５】
本実施の形態の電子黒板は、前述した実施の形態１に係る電子黒板とハードウエア構成は同じであるので、本実施の形態においても図１及び図２を参照して説明する。
【００９６】
本実施の形態は、カット紙の上部及び下部へ均等に前記ボード面２０の領域外に相当する余白部を形成し、かつ読取方向によっては管理情報を回転させるようにした例である。その他の構成は実施の形態４と同様である。
【００９７】
図１２（ａ）（ｂ）に示すように、読取部２１がボード面２０上を移動して読取った読取画像は縮小処理部２で主走査方向に縮小処理されてから記憶部４に格納される。図３に示すように、ボード面２０の読取画像を主走査方向に縮小することにより、縮小画像の縮小方向の高さがカット紙の同方向の高さよりも短くなるので余白部が形成されることになる。縮小処理の縮小率はカット紙の長手方向のサイズを基準にして決めており、余白部の大きさは予め求めることができる。
【００９８】
画像処理部５は、記憶部４から読み出した縮小画像の上部及び下部に均等な幅の上余白部３２と下余白部３３を付加する処理を行う。管理情報は装置設定情報に登録された指示に基づいて上余白部３２又は下余白部３３に合成する。管理情報を余白部に合成する際には、実施の形態４と同様に読取方向によっては管理情報を回転して合成することで常に縮小画像と管理情報の向きとが一致するように制御している。
【００９９】
このような本実施の形態によれば、読取方向が反転する場合であっても、高速性を損なうことなく、ボード面２０の画像と同じ向きにて均等に設定された余白部３２，３３へ管理情報を出力することができる。
【０１００】
（実施の形態７）
次に本発明の実施の形態７について説明する。
【０１０１】
本実施の形態の電子黒板は、前述した実施の形態１に係る電子黒板とハードウエア構成は同じであるので、本実施の形態においても図１及び図２を参照して説明する。
【０１０２】
本実施の形態は、図１３（ａ）（ｂ）（ｃ）に示すように、カット紙の上部及び下部へ均等に前記ボード面２０の領域外に相当する余白部を形成し、かつ管理情報に正フォント又は逆フォントを選択使用するようにした例である。その他の構成は実施の形態５と同様である。
【０１０３】
読取部２１がボード面２０上を移動して読取った読取画像は縮小処理部２で主走査方向に縮小処理されてから記憶部４に格納される。画像処理部５は、記憶部４から読み出した縮小画像の上部及び下部に均等な幅の上余白部３２と下余白部３３を付加する処理を行う。管理情報は装置設定情報に登録された指示に基づいて上余白部３２又は下余白部３３に合成する。このとき、実施の形態５と同様に読取方向によっては逆フォントをＲＯＭ６から読み出して管理情報を生成して余白部に合成する。
【０１０４】
このような本実施の形態によれば、読取方向が反転する場合であっても、高速性を損なうことなく、ボード面２０の画像と同じ向きにて均等に設定された余白部３２，３３へ管理情報を出力することができる。
【０１０５】
【発明の効果】
以上詳記したように、本発明によれば時刻設定の有無にかかわらず、記録紙の余白へ見易い時刻情報を表示することのできる。また本発明によれば、自走式の読取ユニットを備えた電子黒板においても、記録紙の余白へ見易い管理情報を表示することのできる。また本発明によれば、簡易な操作パネルで各種機能設定を可能にすることができる。
【図面の簡単な説明】
【図１】本発明の実施の形態１−７に係る電子黒板の機能ブロック図
【図２】実施の形態１−７に係る電子黒板の概観図
【図３】実施の形態１に係る電子黒板の画像合成の概念図
【図４】実施の形態１に係る電子黒板の印字例を示す図
【図５】実施の形態１に係る電子黒板のフロー図
【図６】実施の形態２に係る電子黒板の管理情報蓄積及び合成の概念図
【図７】実施の形態２に係る電子黒板のフロー図
【図８】実施の形態３に係る電子黒板の概略的な平面図
【図９】図８に示すＡ部分の拡大図
【図１０】（ａ）実施の形態４に係る電子黒板で左から右へ読取りを行った場合の縮小画像及び管理情報の向きと印字方向との関係を示す図
（ｂ）実施の形態４に係る電子黒板で右から左へ読取りを行った場合の縮小画像及び管理情報の向きと印字方向との関係を示す図
【図１１】（ａ）実施の形態５に係る電子黒板で左から右へ読取りを行った場合の正フォントを使用した管理情報及び縮小画像と印字方向との関係を示す図
（ｂ）実施の形態５に係る電子黒板で右から左へ読取りを行った場合の正フォントを使用した管理情報及び縮小画像と印字方向との関係を示す図
（ｃ）実施の形態５に係る電子黒板で右から左へ読取りを行った場合の逆フォントを使用した管理情報及び縮小画像と印字方向との関係を示す図
【図１２】（ａ）実施の形態６に係る電子黒板で左から右へ読取りを行った場合に均等配置した余白部に管理情報を合成した例を示す図
（ｂ）実施の形態６に係る電子黒板で右から左へ読取りを行った場合に均等配置した余白部に管理情報を合成した例を示す図
【図１３】（ａ）実施の形態７に係る電子黒板で左から右へ読取りを行った場合に均等配置した余白部に正フォントの管理情報を合成した例を示す図
（ｂ）実施の形態７に係る電子黒板で右から左へ読取りを行った場合に均等配置した余白部に正フォントの管理情報を合成した例を示す図
（ｃ）実施の形態７に係る電子黒板で右から左へ読取りを行った場合に均等配置した余白部に逆フォントの管理情報を合成した例を示す図
【符号の説明】
１　読取制御部
２　縮小処理部
３　装置制御部
４　記憶部
５　画像処理部
６　ＲＯＭ
７　記録制御部
８　パネル制御部
２０　ボード面
２１　読取部
２２　パネル部
２３　記録部
【図１】
2004096335.tif 000003
【図２】
2004096335.tif 000004
【図３】
2004096335.tif 000005
【図４】
2004096335.tif 000006
【図５】
2004096335.tif 000007
【図６】
2004096335.tif 000008
【図７】
2004096335.tif 000009
【図８】
2004096335.tif 000010
【図９】
2004096335.tif 000011
【図１０】
2004096335.tif 000012
【図１１】
2004096335.tif 000013
【図１２】
2004096335.tif 000014
【図１３】
2004096335.tif 000015